(57)【要約】【課題】  ビスの保持力が低い壁にも高い取付強度で装飾部材を取り付けることができる壁への装飾部材の取付構造を提供する。【解決手段】  樹脂製の筒状プラグ１を壁２に形成した取付孔３に挿着する。壁２の表面に装飾部材４を宛がうと共に装飾部材４を通してビス５を筒状プラグ１の内周にねじ込む。そして筒状プラグ１へのビス５のねじ込みによって筒状プラグ１の外周を取付孔３の内周に圧接させる。樹脂製の筒状プラグ１の内周にビス５をねじ込むと、筒状プラグ１は外径が大きくなるようにビス５で外方へ押し広げられて壁２の取付孔３の内周に圧接し、この圧接によって筒状プラグ１及びビス５を介して壁２に装飾部材４を取り付けることができる。【選択図】  図１
2006226033.tif 000002
【特許請求の範囲】
【請求項１】
樹脂製の筒状プラグを壁に形成した取付孔に挿着し、壁の表面に装飾部材を宛がうと共に装飾部材を通してビスを筒状プラグの内周にねじ込み、筒状プラグへのビスのねじ込みによって筒状プラグの外周を取付孔の内周に圧接させて成ることを特徴とする壁への装飾部材の取付構造。
【請求項２】
筒状プラグに先端に至る複数本の切り込みを設け、筒状プラグの先部を周方向で複数に分割して広がり片を形成して成ることを特徴とする請求項１に記載の壁への装飾部材の取付構造。
【請求項３】
壁の取付孔の開口周縁にリング状の防水パッキンを配置し、防水パッキンに背面を密着させた状態で装飾部材を壁の表面に宛がうようにして成ることを特徴とする請求項１又は２に記載の壁への装飾部材の取付構造。
【発明の詳細な説明】
【技術分野】
【０００１】
本発明は、外壁などの壁面に装飾部材をビス止めで固定するようにした壁への装飾部材の取付構造に関するものである。
【背景技術】
【０００２】
外壁などの壁面に装飾部材を取付けるにあたって、接着剤を用いて接着する方法では耐久性に問題がある。このため、壁への装飾部材の取り付けはビス止めで行なうのが一般的である（例えば、特許文献１等参照）。
【０００３】
このように壁に装飾部材をビス止めで取付けるにあたって、壁の出隅や開口部の周辺には壁の下地として木下地が存在しているので、この場所に装飾部材を取り付ける場合には、壁を通してビスを木下地にねじ込むことができるので、木材によるビスの保持力によって、取付強度を高く得ることができる。
【０００４】
一方、妻壁やバルコニーの中央のように、木下地がない場所や、木下地がどこにあるかわからない場所に装飾部材を取り付ける場合には、壁にねじ込んだビスで装飾部材を取り付けることになるので、壁によるビスの保持力でのみ装飾部材は固定されている。
【特許文献１】実開平５−８９６８４号公報
【発明の開示】
【発明が解決しようとする課題】
【０００５】
しかし、窯業系の外装材を張って壁が形成されている場合、外装材にねじ込んだビスで装飾部材を取り付けることになるが、窯業系材料は脆いので、ビスをねじ込んだ孔が広がり易く、特にビスをねじ込み過ぎるとビスが空回りし、ビスの保持力は低い。このため、装飾部材の取付強度に問題が生じるものであった。また壁がモルタルで形成されている場合も、同様な問題が生じるものであった。
【０００６】
本発明は上記の点に鑑みてなされたものであり、ビスの保持力が低い壁にも高い取付強度で装飾部材を取り付けることができる壁への装飾部材の取付構造を提供することを目的とするものである。
【課題を解決するための手段】
【０００７】
本発明の請求項１に係る壁への装飾部材の取付構造は、樹脂製の筒状プラグ１を壁２に形成した取付孔３に挿着し、壁２の表面に装飾部材４を宛がうと共に装飾部材４を通してビス５を筒状プラグ１の内周にねじ込み、筒状プラグ１へのビス５のねじ込みによって筒状プラグ１の外周を取付孔３の内周に圧接させて成ることを特徴とするものである。
【０００８】
また請求項２の発明は、請求項１において、筒状プラグ１に先端に至る複数本の切り込み６を設け、筒状プラグ１の先部を周方向で複数に分割して広がり片７を形成して成ることを特徴とするものである。
【０００９】
また請求項３の発明は、請求項１又は２において、壁２の取付孔３の開口周縁にリング状の防水パッキン８を配置し、防水パッキン８に背面を密着させた状態で装飾部材４を壁２の表面に宛がうようにして成ることを特徴とするものである。
【発明の効果】
【００１０】
樹脂製の筒状プラグ１の内周にビス５をねじ込むと、筒状プラグ１は外径が大きくなるようにビス５で外方へ押し広げられて壁２の取付孔３の内周に圧接し、この圧接によって筒状プラグ１及びビス５を介して壁２に装飾部材４を取り付けることができるものであり、木下地がなくビス５の保持力が低い壁２であっても高い取付強度で装飾部材４を取り付けることができるものである。
【発明を実施するための最良の形態】
【００１１】
以下、本発明を実施するための最良の形態を説明する。
【００１２】
筒状プラグ１は図２（ａ）に示すように円筒形の樹脂成形品として形成されるものであり、筒状プラグ１は壁２の厚みよりも長い寸法で形成されるものである。この筒状プラグ１にはその基部から先端に至る切り込み６が周方向に複数本平行に設けてあって、切り込み６を設け、筒状プラグ１の先部を周方向で複数に分割して、切り込み６間に広がり片７が形成されるようにしてある。１２は筒状プラグ１の外周に、筒状プラグ１の基部側へ向けて外方へ傾斜するように一体に突設した突片である。
【００１３】
また図２（ｂ）はリング状に形成される防水パッキン８を示すものであり、ゴムや軟質発泡樹脂など、弾性を有する材料で形成してある。さらに図２（ｃ）は壁飾りなどとして形成される装飾部材４の一例を示すものであり、装飾部材４の複数箇所にはビス孔１１が通孔として形成してある。
【００１４】
そして窯業系の外装材などを張って形成される壁２に装飾部材４を取り付けるにあたっては、まず壁２に下孔として取付孔３をドリル加工して設ける。この取付孔３の孔径は、筒状プラグ１の外径と同じか、やや小さ目に形成されるものである。取付孔３の孔径が筒状プラグ１の外径より大きいと、十分な保持力を得ることができないおそれがある。
【００１５】
次に、図１（ａ）に示すように、壁２の外面において取付孔３を囲むように、取付孔３の開口周縁にリング状の防水パッキン８を貼り付ける。防水パッキン８の背面に粘着層を設けておくことによって、防水パッキン８を壁２の表面に押し付けるだけで、防水パッキン８の貼付けを行なうことができる。
【００１６】
次いで、壁２の外側から、取付孔３に筒状プラグ１を差し込んで挿着する。筒状プラグ１の外径は取付孔３の径と同じか大きく形成されているので、ハンマーで筒状プラグ１を軽くたたきながら取付孔３に差し込むようにするものである。このとき、防水パッキン８が圧縮されることによって、図１（ｂ）に示すように筒状プラグ１はその基部側の端面が壁２の表面とほぼ面一になるまで差し込まれるものであり、また広がり片７の少なくとも先部が壁２の背面側に突出されるようにしてある。
【００１７】
この後、装飾部材４を図１（ｃ）のように壁２の外面に配置する。装飾部材４はそのビス孔１１が取付孔３と一致するように配置するものであり、装飾部材４の背面を防水パッキン８に密着させるようにしてある。
【００１８】
この後に、装飾部材４のビス孔１１を通して、筒状プラグ１の内周にビス５をねじ込む。このビス５としては、外径が筒状プラグ１の内径よりも大きいものが用いられるものであり、ビス５の長さは筒状プラグ１の長さよりも長いものであることが望ましい。そして図１（ｄ）に示すように、ビス５の頭５ａがビス孔１１の開口縁に係止されるまで、筒状プラグ１内にビス５をねじ込むと、筒状プラグ１はその内径よりも外径の大きいビス５によって径が大きくなるように外方へ押し広げられ、壁２の取付孔３の内周に筒状プラグ１が圧接する。
【００１９】
このように、筒状プラグ１が壁２の取付孔３の内周に圧接することによって、筒状プラグ１は壁２に保持されると共に、またビス５の外周の雄ねじ部５ｂが筒状プラグ１の内周に食い込むことによって、ビス５は筒状プラグ１に保持されるものであり、さらにビス５の頭５ａが装飾部材４のビス孔１１の開口縁に係止されることによって、装飾部材４はビス５によって保持されるものである。従って、装飾部材４を筒状プラグ１とビス５によって壁２に取り付けることができるものである。そして筒状プラグ１は壁２の取付孔３の内周に圧接しているだけであるので、壁２が窯業系外装材やモルタルのような脆い材質であっても、壁２に直接ビス５をねじ込む場合ように取付孔３の径が広がるようなことはなく、高い保持力で筒状プラグ１を壁２に保持することができるものであり、また樹脂製の筒状プラグ１の内周に対するビス５の保持力は高いので、高い保持力の筒状プラグ１及びビス５を介して壁２に装飾部材４を高い取付強度で取り付けることができるものである。
【００２０】
このとき、上記のように筒状プラグ１にビス５をねじ込むと、筒状プラグ１がビス５によって径が大きくなるように外方へ押し広げられる際に、壁２の背面側に突出している広がり片７は図１（ｄ）のように外方へ広がる。そしてこの広がった広がり片７が取付孔３の壁２の背面側での開口縁に係止されることによって、壁２への筒状プラグ１の保持力がより高められるものである。
【００２１】
また、上記のように壁２の取付孔３の開口周縁に貼り付けたリング状の防水パッキン８に装飾部材４の背面を密着させるようにしているために、装飾部材４と壁２の表面の間に入り込んだ雨水が、取付孔３に浸入することを防ぐことができるものであり、壁２の取付孔３の防水性能を高めることができるものである。尚、上記の実施の形態では、防水パッキン８は筒状プラグ１と別体に形成したが、防水パッキン８を筒状プラグ１と一体に形成してもよいものである。
【図面の簡単な説明】
【００２２】
【図１】本発明の実施の形態の一例を示すものであり、（ａ）〜（ｄ）はそれぞれ断面図である。
【図２】（ａ）は筒状プラグの斜視図、（ｂ）は防水パッキンの斜視図、（ｃ）は装飾部材の斜視図である。
【符号の説明】
【００２３】
１  筒状プラグ
２  壁
３  取付孔
４  装飾部材
５  ビス
６  切り込み
７  広がり片
８  防水パッキン
【図１】
2006226033.tif 000003
【図２】
2006226033.tif 000004